(57)【特許請求の範囲】
【請求項１】
天井部材に装着された機器本体または機器本体の周囲の天井部材に対して固定枠が水平に固着され、キャッチアームの基端部が水平軸によって固定枠の前後左右の各辺部側に連結され、機器附設体の前後左右の各辺部側に形成したピン受孔に挿入される水平ピンによってキャッチアームの先端部が機器附設体に連結され、キャッチアームが前記水平軸を中心として固定枠に対して回転するとき、前記水平ピンが前記ピン受孔に沿って移動することによって、機器附設体が固定枠に対して垂直方向に平行移動するように設定されており、Ｖ字状引付け保持用バネ部材がキャッチアームに相対回転可能であって固定枠の前後左右の各辺部に相対変位可能に装着され、引付け保持用バネ部材が機器附設体を固定枠または機器本体に対して引き付けるように配置されている、天井部における機器附設体の開閉装置。
【請求項２】
前記キャッチアームには、
前記水平軸と水平ピンが固定枠及び機器附設体の前後方向の軸線と平行に配置されており、前記固定枠の前辺部の左側部位と前記機器附設体の前辺部の左側部位とを連絡する第１のキャッチアームと、
前記水平軸と水平ピンが固定枠及び機器附設体の前後方向の軸線と平行に配置されており、前記固定枠の前辺部の右側部位と前記機器附設体の前辺部の右側部位とを連絡する第２のキャッチアームと、
前記水平軸と水平ピンが固定枠及び機器附設体の前後方向の軸線と平行に配置されており、前記固定枠の後辺部の左側部位と前記機器附設体の後辺部の左側部位とを連絡する第３のキャッチアームと、
前記水平軸と水平ピンが固定枠及び機器附設体の前後方向の軸線と平行に配置されており、前記固定枠の後辺部の右側部位と前記機器附設体の後辺部の右側部位とを連絡する第４のキャッチアームと、
前記水平軸と前記水平ピンが固定枠及び機器附設体の左右方向の軸線と平行に配置されており、前記固定枠の左辺部の手前側部位と前記機器附設体の左辺部の手前側部位とを連絡する第５のキャッチアームと、
前記水平軸と前記水平ピンが固定枠及び機器附設体の左右方向の軸線と平行に配置されており、前記固定枠の左辺部の奥側部位と前記機器附設体の左辺部の奥側部位とを連絡する第６のキャッチアームと、
前記水平軸と前記水平ピンが固定枠及び機器附設体の左右方向の軸線と平行に配置されており、前記固定枠の右辺部の手前側部位と前記機器附設体の右辺部の手前側部位とを連絡する第７のキャッチアームと、
前記水平軸と前記水平ピンが固定枠及び機器附設体の左右方向の軸線と平行に配置されており、前記固定枠の右辺部の奥側部位と前記機器附設体の右辺部の奥側部位とを連絡する第８のキャッチアームとがあり、
前記第１から第8の各キャッチアームの前記各水平ピンは、前記機器附設体の前記各ピン受孔から抜取り可能に構成されており、
前記第１のキャッチアームと前記第３のキャッチアームとによって、キャッチアームの一組が構成され、
前記第２のキャッチアームと前記第４のキャッチアームとによって、キャッチアームの別の一組が構成され、
前記第５のキャッチアームと前記第７のキャッチアームとによって、キャッチアームの更に別の一組が構成され、
前記第６のキャッチアームと前記第８のキャッチアームとによって、キャッチアームの更にまた別の一組が構成されており、
任意に選択された特定の一組のキャッチアームを除く他の各組のキャッチアームについては、機器附設体が開放位置に下降したとき、前記水平ピンが前記ピン受孔から抜き取られることによって、当該キャッチアームと機器附設体側との連結が解除される一方、
前記特定された一組のキャッチアームについては、機器附設体が開放位置に下降したとき、当該キャッチアームと機器附設体との連結が解除されず、前記ピン受孔に挿通されたままである前記水平ピンを中心として、前記機器附設体が下向きに回転させられるようにした請求項１に記載の機器附設体の開閉装置。
【請求項３】
機器附設体が開放位置において前記水平ピンを中心に下向き回転した後、当該水平ピンを前記ピン受孔から抜き取ることによって、前記特定の一組のキャッチアームと機器附設体との連結が解除され、機器附設体を開閉装置から離脱させるようにしたことを特徴とする請求項２に記載の機器附設体の開閉装置。
【請求項４】
固定枠に固着した支持板に前記水平軸が装着されており、キャッチアームの外側面部にバネ掛け部を設けてあり、機器附設体に固着される受金板に前記ピン受孔を形成してあり、引付け保持用バネ部材は前記バネ掛け部に相対回転可能に嵌められるコイル部と、該コイル部の両側にＶ字状に立ち上がり、前記支持板のバネ受孔に相対変位可能に挿通される２本の直線部とからなるトーションバネによって構成されており、引付け保持用バネ部材の前記２本の直線部は機器附設体が閉鎖位置に上昇しているとき相互の開き角度が最も大きく、機器附設体が開放位置に下降しているとき相互の開き角度が最も小さくなるように設定されていることを特徴とする請求項１、請求項２または請求項３に記載の機器附設体の開閉装置。
【発明の詳細な説明】
【０００１】
【発明の属する技術分野】
本発明は、建物や部屋の天井部に設置された機器の附設体、例えば照明装置の照明カバーや空調装置の吹出口カバーを、平常時は機器本体に対して引付け保持し、機器の点検整備や消耗品の交換等に際しては作業に支障とならないように下方に開き回転させる、天井部における機器附設体の開閉装置に関するものである。
【０００２】
【従来の技術】
特開平１１-９６８２７号公報に開示された照明カバーの開閉装置では、機器本体または機器本体の周囲の天井部材に対して固定枠を水平に固着し、該固定枠に対して照明カバーを垂直方向に移動可能に配置し、固定枠の長手方向の前後二つの辺部に照明カバー用支持プレートの垂直板部を固着し、該支持プレートの水平板部に水平板部の突き出し方向に長いバネ受けスロットを形成し、中央部でＶ字状に二つ折りされた照明カバー支持用バネ部材を、中央折返し部において照明カバーの長手方向の前後二つの辺部に取付け、このトーションバネを構成するＶ字状バネ部材の２本の直線部を前記支持プレートの前記スロットに挿通している。
Ｖ字状バネ部材の２本の直線部は照明カバーが最上昇位置にあるとき相互の開き角度が最も大きく、照明カバーが最下降位置に来たとき相互の開き角度が最も小さくなるように設定されている。
【０００３】
このように構成された照明カバーの開閉装置では、照明カバーは平常時はＶ字状の引付け保持用バネ部材によって固定枠の前記支持プレートの水平板部に引き付けられており、照明器具の蛍光管の収容空間は照明カバーによって密に閉鎖されている。蛍光管を交換するときには、Ｖ字状引付け保持用バネ部材の弾性力に抗して照明カバーを手で引き下げ、照明カバーを固定枠と平行に下降させる。最下降した開放位置に来たとき、Ｖ字状引付け保持用バネ部材の前記直線部の先端部に環曲形成してあるストッパー部が前記スロットの縁面部に当接する。
これによって照明カバーと固定枠の間には一定高さの作業用空間が形成され、この作業用空間の側方から手を差し入れて蛍光管の交換作業がなされる。
作業終了後、照明カバーを手で押し上げて上昇させ、Ｖ字状引付け保持用バネ部材の弾性力によって閉鎖位置に引付け保持させる。
【０００４】
このＶ字状引付け保持用バネ部材を利用した照明カバーの開閉装置は、構造がシンプルであるため製作組立のコストが安くて一般に広く使用されているものであるが、照明カバーを上昇させて元の閉鎖位置に戻すとき、照明カバーを垂直方向に運動規制する手段が容易されていないため、照明カバーが水平面に対して傾いたり、水平面内において前後左右に偏移したりして、照明カバーの位置が不安であり、照明カバーと固定枠との位置合わせがスムーズに行なえないという問題がある。
【０００５】
また、照明カバーの引き下げに当たって、照明カバーを過度に引き下げ過ぎると、前記環曲形成したストッパー部が縮径方向に変形して支持プレートの前記スロットを抜け出ることがあり、これによって照明カバーが脱落して予期しない事故を招くことがあった。
【０００６】
さらにまた、Ｖ字状引付け保持用バネ部材の２本の直線部が閉じることによって得られる照明カバーの下降ストロークには一定の限界があるため、単なる蛍光管の交換ではなくて照明器具本体の点検修理等を行なうときには、前記作用用空間では狭くて作業がし難いという問題もあった。
【０００７】
他方、特開２０００-１０６０２５号公報に開示されている照明カバーの開閉装置では、固定枠に対して直角に交差する複数本の棒状ガイドを用意し、該ガイドをガイド受けによって固定枠に移動可能に支持させ、照明カバーの左右端部に固定した連結金具にに対して前記ガイドの下端部を固定の枢軸ピンまたは引き抜き可能ピンによって水平状態に連結している。
【０００８】
この照明カバーの開閉装置では、前記ガイドの存在によって照明カバーは常に水平状態を保って固定枠に対して垂直方向に移動するため、照明カバーを閉鎖位置に押上げ復帰させるときにおける照明カバーの傾きや前後左右方向へのぶれの問題は発生せず、照明カバーと固定枠との位置合わせの問題はない。
【０００９】
また、照明カバーの連結金具に対するガイドの取付け手段としては、左右一側において固定の枢軸ピンを使用したときには、他側では引き抜き可能ピンを使用しているから、当該引き抜き可能ピンを抜き取ることによって、照明カバーを当該固定の枢軸ピンを中心として下向き回転させることができる。
これによって比較的広い作業用空間が確保されるため、蛍光管の交換は勿論として、照明器具本体の点検修理等も比較的容易に行なえる。
【００１０】
しかしながら、この照明カバーの開閉装置では、照明カバーの回転中心となる枢軸ピンは特定のガイドまたは連結金具に固定されているため、照明カバーを開放操作する作業位置が左右一方の側に限定されることになる。
また、枢軸ピンはガイドや連結金具から抜き取れるように構成されていないので、照明カバーを下向き回転できても、照明カバーをガイドから分離して取り外すことはできず、照明器具の下面側を前後左右の各方向において全面開放することはできない。
【００１１】
【発明が解決しようとする課題】
したがって本発明の目的は、同一長さのＶ字状引付け保持用バネ部材を使用しても、作業用空間の高さを安定性良くより高く設定することができる、天井部における機器附設体の開閉装置を提供することである。
本発明の別の目的は、Ｖ字状引付け保持用バネ部材による引付け保持機能を活用しながら、周辺における器物の存在や作業姿勢等を考慮して、機器附設体を前後左右のいずれの方向からでも安定性良く大きく開放することができる、天井部における機器附設体の開閉装置を提供することである。
本発明の他の目的は、必要に応じて機器附設体を完全に取り外すことができ、これによって格段に広い作業空間を確保することができる、天井部における機器附設体の開閉装置を提供することである。
【００１２】
【課題を解決するための手段】
以下、添付図面中の参照符号を用いて説明すると、請求項１の発明の天井部における機器附設体の開閉装置は、天井部材に装着された機器本体または機器本体の周囲の天井部材に対して固定枠１が水平に固着され、キャッチアーム２の基端部が水平軸３によって固定枠１の前後左右の各辺部側に連結され、機器附設体４の前後左右の各辺部側に形成したピン受孔５に挿入される水平ピン６によってキャッチアーム２の先端部が機器附設体４に連結され、キャッチアーム２が水平軸３を中心として固定枠１に対して回転するとき、水平ピン６がピン受孔５に沿って移動することによって、機器附設体４が固定枠１に対して垂直方向に平行移動するように設定されており、引付け保持用バネ部材７がキャッチアーム２に相対回転可能であって固定枠１の前後左右の各辺部に相対変位可能に装着されており、引付け保持用バネ部材７が機器附設体４を固定枠１または機器本体に対して引き付けるように配置する。
【００１３】
請求項２の発明の機器附設体の開閉装置では、請求項１の発明の前記構成に加えて、前記キャッチアームには、
前記水平軸と水平ピンが固定枠及び機器附設体の前後方向の軸線と平行に配置されており、前記固定枠の前辺部の左側部位と前記機器附設体の前辺部の左側部位とを連絡する第１のキャッチアームと、
前記水平軸と水平ピンが固定枠及び機器附設体の前後方向の軸線と平行に配置されており、前記固定枠の前辺部の右側部位と前記機器附設体の前辺部の右側部位とを連絡する第２のキャッチアームと、
前記水平軸と水平ピンが固定枠及び機器附設体の前後方向の軸線と平行に配置されており、前記固定枠の後辺部の左側部位と前記機器附設体の後辺部の左側部位とを連絡する第３のキャッチアームと、
前記水平軸と水平ピンが固定枠及び機器附設体の前後方向の軸線と平行に配置されており、前記固定枠の後辺部の右側部位と前記機器附設体の後辺部の右側部位とを連絡する第４のキャッチアームと、
前記水平軸と前記水平ピンが固定枠及び機器附設体の左右方向の軸線と平行に配置されており、前記固定枠の左辺部の手前側部位と前記機器附設体の左辺部の手前側部位とを連絡する第５のキャッチアームと、
前記水平軸と前記水平ピンが固定枠及び機器附設体の左右方向の軸線と平行に配置されており、前記固定枠の左辺部の奥側部位と前記機器附設体の左辺部の奥側部位とを連絡する第６のキャッチアームと、
前記水平軸と前記水平ピンが固定枠及び機器附設体の左右方向の軸線と平行に配置されており、前記固定枠の右辺部の手前側部位と前記機器附設体の右辺部の手前側部位とを連絡する第７のキャッチアームと、
前記水平軸と前記水平ピンが固定枠及び機器附設体の左右方向の軸線と平行に配置されており、前記固定枠の右辺部の奥側部位と前記機器附設体の右辺部の奥側部位とを連絡する第８のキャッチアームとがあり、
前記第１から第8の各キャッチアームの前記各水平ピンは、前記機器附設体の前記各ピン受孔から抜取り可能に構成されている。
前記第１のキャッチアームと前記第３のキャッチアームとによって、キャッチアームの一組が構成され、
前記第２のキャッチアームと前記第４のキャッチアームとによって、キャッチアームの別の一組が構成され、
前記第５のキャッチアームと前記第７のキャッチアームとによって、キャッチアームの更に別の一組が構成され、
前記第６のキャッチアームと前記第８のキャッチアームとによって、キャッチアームの更にまた別の一組が構成されている。
任意に選択された特定の一組のキャッチアームを除く他の各組のキャッチアームについては、機器附設体が開放位置に下降したとき、前記水平ピンが前記ピン受孔から抜き取られることによって、当該キャッチアームと機器附設体側との連結が解除される一方、前記特定された一組のキャッチアームについては、機器附設体が開放位置に下降したとき、当該キャッチアームと機器附設体との連結が解除されず、前記ピン受孔に挿通されたままである前記水平ピンを中心として、前記機器附設体が下向きに回転させられる。
【００１４】
請求項３の発明の機器附設体の開閉装置では、請求項２の発明の前記構成に加えて、機器附設体が開放位置において前記水平ピンを中心に下向き回転した後、当該水平ピンを前記ピン受孔から抜き取ることによって、前記特定の一組のキャッチアームと機器附設体との連結が解除され、機器附設体を開閉装置から離脱させる。
【００１５】
請求項４の発明の機器附設体の開閉装置では、請求項１、請求項２または請求項３の発明の前記構成に加えて、固定枠１に固着した支持板９に水平軸３が装着されており、キャッチアーム２の外側面部に引付け保持用バネ部材７を支持するバネ掛け部１０を設けてあり、機器附設体４に固着される受金板１１に水平ピン６が係脱するピン受孔５を横長に形成してあり、Ｖ字状引付け保持用バネ部材７は、前記バネ掛け部９に相対回転可能に嵌められるコイル部７ａと、コイル部７ａの両側にＶ字状に立ち上がり、前記支持板９のバネ受孔１２に相対変位可能に挿通される２本の直線部７ｂ，７ｃとからなるトーションバネによって構成されており、Ｖ字状引付け保持用バネ部材７の２本の直線部７ｂ，７ｃは機器附設体４が閉鎖位置に上昇したとき相互の開き角度が最も大きく、機器附設体４が開放位置に下降したとき相互の開き角度が最も小さくなるように設定されている。
【００１６】
【発明の作用】
請求項１の発明の開閉装置においては、機器附設体７が天井面（図示していない）に最も接近した閉鎖位置にあるときには、図２に示したように機器附設体４はＶ字状引付け保持用バネ部材７の弾性力によって固定枠１または機器本体（図示していない）に引き付けられている。
機器附設体４に手を掛けて機器附設体４を下側に引くと、水平軸３を中心としてキャッチアーム２が固定枠１に対して回転し、水平ピン６がピン受孔５内を逃げ移動することによって、図３に示したように機器附設体４が固定枠１から離れて下向きに平行移動する。水平ピン６がピン受孔５の一方端から他方端まで移動したとき、機器附設体４の下降は停止し、固定枠１と機器附設体４との間には一定高さの作業用空間が形成される。
【００１７】
Ｖ字状引付け保持用バネ部材が機器附設体に直接に取付けられている従来装置とは異なり、本発明装置では、Ｖ字状引付け保持用バネ部材７がキャッチアーム２に装着され、機器附設体４はキャッチアーム２の先端部に連結されているため、同じ長さのＶ字状引付け保持用バネ部材を使用した条件下で比較して、前記作業用空間の高さは大幅に高くなる。そのため、蛍光管の交換や作業用空間の外周部付近の点検修理であれば、機器附設体４を下向き回転させずに、そのまま所要の作業に入ることができる。
【００１８】
請求項２の発明の開閉装置では、更に広い作業用空間を確保するために、特定の一組のキャッチアーム２Ｈの水平ピン６をヒンジピンとして働かせて、機器附設体４を図３の下降位置より下向きに回転させる。
その場合には、周辺にある器物の存在位置や作業姿勢などを考慮して、機器附設体４の前後方向の軸線と平行な回転軸または左右方向の軸線と平行な回転軸のどちらを中心として下向き回転させるのが最適であるかを事前に判断する。
例えば、前後方向の軸線と平行な回転軸を中心として回転させるのが最適であるときには、機器附設体４の前後の辺部４ｃ，４ｄに連結されているキャッチアームの組、すなわち、前記第１のキャッチアームと前記第３のキャッチアームとによって構成されるキャッチアームの一組と、前記第２のキャッチアームと前記第４のキャッチアームとによって構成されるキャッチアームの一組、のどちらか一方を特定された一組のキャッチアーム２Ｈとする。
【００１９】
図１に示したように機器附設体４の左右両側の辺部４ａ，４ｂに連結されているキャッチアームのうち奥側部位にあるもの、すなわち、前記第６のキャッチアームと前記第８のキャッチアームを特定された一組のキャッチアーム２Ｈとして選択したときには、機器附設体４の前後両側の辺部４ｃ，４ｄの左側部位と右側部位に連結されている全てのキャッチアーム２、すなわち、前記第１のキャッチアーム、前記第２のキャッチアーム、第３のキャッチアーム及び前記第４のキャッチアームを最初に機器附設体４から外す。その次に、機器附設体４の下面に手を当てて機器附設体４を下支えした状態で、機器附設体４の左右両側の辺部４ａ，４ｂに連結されているキャッチアーム２のうち手前側部位にあるもの、すなわち、前記第５のキャッチアームと前記第7のキャッチアームを機器附設体４から外す。
【００２０】
そうすると、機器附設体４の左右両側の辺部４ａ，４ｂの奥側部位に連結されているキャッチアーム２Ｈ（前記第６のキャッチアームと前記第８のキャッチアーム）はヒンジとして機能し、機器附設体４はキャッチアーム２Ｈの前記各水平ピン６を中心として自重によって図４に示したように下向き回転する。
この下向き回転は、機器附設体４が一段階下降した後になされるから、機器附設体４が前後左右方向に密接または密集して設置されている適用例においても、隣接する機器附設体同士が干渉することがない。
機器附設体４が下向き回転して、図４に示したように垂直状に吊り持ちされることによって、固定枠１の下面側は全面開放され、より広い作業空間が確保される。
【００２１】
請求項３の発明の開閉装置では、請求項２の発明の開閉装置において機器附設体４が下向き回転させられた後、ヒンジとして機能した特定の一組のキャッチアーム２Ｈより水平ピン６が抜き取られ、機器附設体４がキャッチアーム２Ｈから取り外される。そのため、固定枠１の下面側に形成される作業用空間には、前後左右の全方向において障害物がなくなり、格段に広い作業用空間が創出される。
【００２２】
請求項４の発明の開閉装置では、機器附設体４が固定枠１に対して垂直方向に平行移動するとき、Ｖ字状引付け保持用バネ部材７はコイル部７ａが掛けられたキャッチアーム２のバネ掛け部１０を中心としてキャッチアーム２に対して相対回転し、また、２本の直線部７ｂ，７ｃが支持板９のバネ受孔１２の内壁面に摺接することによって、Ｖ字状引付け保持用バネ部材７は固定枠体１に対して長さ方向に相対変位する。
【００２３】
【発明の実施の形態】
図示の実施例では、固定枠１の平面視形状は矩形であり、キャッチアーム２の支持板９が左右両側の辺部１ａ，１ｂに２個、前後両側の辺部１ｃ，１ｄに２個設けてある。支持板９としてはアングル材が使用され、その垂直板部９ａがビス１３によって前記各辺部に締付け固着されている。支持板９の水平板部９ｂにはブラケット板１４がビス１５によって締付け固着されており、キャッチアーム２の基端部の軸孔１６に嵌挿された水平軸３は、ブラケット板１４の軸孔１７に嵌挿されている。
【００２４】
機器附設体４の下降位置における下向き回転動作、および下向き回転後における機器附設体４の取外しを可能にするために、水平ピン６は受金板１１のピン受孔５から抜き取り可能に構成される。その一例として、本例では、キャッチアーム２，２Ｈの先端部に固着した水平ピン６、または先端部の受孔に嵌められる水平ピン６の先端部に螺子山部を形成し、水平ピン６をピン受孔５に通した後、該螺子山部に袋ナットを螺合させてある。そのため、機器附設体４の取外しに際しては、該袋ナットを外すことによって水平ピン６と受金板１１の連結を解除することができる。
また、水平ピン６を拡大頭部付きのものとし、水平ピン６の先端部に形成した直径方向の透孔に抜け止め用割りピンやバネ材を抜き差しすることによって、水平ピン６を着脱可能にすることができ、ピン６を着脱可能にする構成はこれらに限定されるものではない。
【００２５】
バネ受孔１２は前記支持板９の水平板部９ｂに各辺部の長さ方向に沿って横長に形成されている。図２と図６に示したように機器附設体４が最も上昇した位置にあるときには、バネ受孔１２には、Ｖ字状引付け保持用バネ部材７の２本の直線部７ｂ，７ｃの根元部分とコイル部７ａの約半分が入り込んでいる。
【００２６】
機器附設体４の平面視形状は矩形であり、受金板１１は左右両側の辺部４ａ，４ｂに２個、前後両側の辺部４ｃ，４ｄに２個設けてある。図７に示したように受金板１１は下端部をビス１８によって前記各辺部に締付け固着されている。辺部より突出した受金板１１の上部には、各辺部の長さ方向によって横長のピン受孔５が形成されている。
【００２７】
Ｖ字状引付け保持用バネ部材７の２本の直線部７ｂ，７ｃの先端部にはストッパー部７ｄ，７ｅがコ字状に曲げ形成されており、図８に示したように機器附設体４垂直回転位置に来たとき、ストッパー部７ｄ，７ｅは支持板９の水平板部９ｂの上面に当接して、直線部７ｂ，７ｃがバネ受孔１２から抜脱するのを阻止する。
キャッチアーム２，２Ｈのバネ掛け部１０は上下両端部をコ字状に曲げた棒材で構成され、キャッチアーム２、２Ｈに溶接されている。
【００２８】
固定枠１と機器附設体４の平面視形状は矩形に限定されず、正方形や八角形、円形、楕円形等といった様々な形状をとることができる。また、固定枠体１または機器本体と機器附設体との接触面に緩衝性のあるパッキング部材を挿入することによって、光の漏洩や塵埃の侵入をより効果的に阻止することもできる。
本発明の機器附設体は照明器具の照明カバーに限定されず、空調装置の吹出口カバー等にも適用することができる。
【００２９】
固定枠１の前後左右の各辺部及び機器附設体４の前後左右の各辺部にそれぞれ水平軸３と水平ピン６によって連結されるキャッチアーム２の個数は、連結対象である機器附設体４の平面寸法の大きさによって適宜に増減される。複数組のキャッチアームのどれか一組がヒンジとして機能するように選択されるので、ヒンジとして選択される蓋然性の高い位置にあるキャッチアーム、すなわち前後方向の両端部において相対向する組のキャッチアームと、左右方向の両端部の位置において相対向する組のキャッチアームについては、機器附設体４の下向き回転が可能となるように、それぞれ水平軸３同士および水平ピン６同士が同一直線上に整列している必要がある。
【００３０】
【発明の効果】
請求項１の発明では、キャッチアームの基端部を水平軸によって固定枠の前後左右の辺部に連結し、Ｖ字状引付け保持用バネ部材をキャッチアームに相対回転可能に装着する一方、固定枠の前後左右の各辺部に相対変位可能に装着し、キャッチアームの先端部を水平ピンによって機器附設体に連結してあり、機器附設体が固定枠に対して垂直方向に平行移動するとき、前記水平軸を中心としてキャッチアームが固定枠に対して回転するとき、前記水平ピンが機器附設体側のピン受孔に沿って移動するものであるから、Ｖ字状引付け保持用バネ部材を機器附設体に直接装着する場合と比較して、固定枠と機器附設体の間に形成される作業用空間の高さを高く設定することができ、機器本体の蛍光管等の部品の交換作業や簡単な点検修理を機器附設体を水平な降下位置に留めたままで行なうことができる。
また、機器附設体は周辺部に連結されたキャッチアームによって固定枠に装着されているため、機器附設体はキャッチアームの運動規制作用によって閉鎖位置、開放位置および開閉途中のいずれにおいても、その姿勢は安定しており、固定枠と機器附設体の位置合わせに気を遣うことなく、機器附設体を容易に開閉操作することができる。
【００３１】
請求項２の発明の開閉装置では請求項１の発明の前記効果に加えて、次の効果がある。
すなわち、前記キャッチアームとして、前記固定枠の前辺部の左側部位と前記機器附設体の前辺部の左側部位とを連絡する第１のキャッチアームと、前記固定枠の前辺部の右側部位と前記機器附設体の前辺部の右側部位とを連絡する第２のキャッチアームと、前記固定枠の後辺部の左側部位と前記機器附設体の後辺部の左側部位とを連絡する第３のキャッチアームと、前記固定枠の後辺部の右側部位と前記機器附設体の後辺部の右側部位とを連絡する第４のキャッチアームと、前記固定枠の左辺部の手前側部位と前記機器附設体の左辺部の手前側部位とを連絡する第５のキャッチアームと、前記固定枠の左辺部の奥側部位と前記機器附設体の左辺部の奥側部位とを連絡する第６のキャッチアームと、前記固定枠の右辺部の手前側部位と前記機器附設体の右辺部の手前側部位とを連絡する第７のキャッチアームと、前記固定枠の右辺部の奥側部位と前記機器附設体の右辺部の奥側部位とを連絡する第８のキャッチアームとがあり、前記第１から第8の各キャッチアームの前記各水平ピンは、前記機器附設体の前記各ピン受孔から抜取り可能に構成されており、
前記第１のキャッチアームと前記第３のキャッチアームとによって、キャッチアームの一組が構成され、前記第２のキャッチアームと前記第４のキャッチアームとによって、キャッチアームの別の一組が構成され、前記第５のキャッチアームと前記第７のキャッチアームとによって、キャッチアームの更に別の一組が構成され、前記第６のキャッチアームと前記第８のキャッチアームとによって、キャッチアームの更にまた別の一組が構成されており、任意に選択された特定の一組のキャッチアームを除く他の各組のキャッチアームについては、機器附設体が開放位置に下降したとき、前記水平ピンが前記ピン受孔から抜き取られることによって、当該キャッチアームと機器附設体側との連結が解除される一方、前記特定された一組のキャッチアームについては、機器附設体が開放位置に下降したとき、当該キャッチアームと機器附設体との連結が解除されず、前記ピン受孔に挿通されたままである前記水平ピンを中心として、前記機器附設体が下向きに回転させられるようにしたので、固定枠の下面側が３方向にわたって開放され、より広い作業用空間を創出する
ことができる。  また、この機器附設体の下向き回転は、固定枠の前後左右のどちらの方向からでも実行することができるから、周辺における器物の存在や作業姿勢等を考慮して機器附設体を最適のサイドから開放して、所要の作業を迅速かつ的確に遂行することができる。
【００３２】
請求項３の発明の開閉装置では、請求項２の発明の前記効果に加えて、機器附設体を開放位置において水平ピンを中心に下向き回転させた後、当該水平ピンを前記ピン受孔から抜き取って、前記特定の一組のキャッチアームと機器附設体との連結を解除することによって、機器附設体を全てのキャッチアームから離脱させるようにしたので、前後左右のいずれの方向にも障害物が存在しない、全方向に開放された作業用空間を創出することができる。
【００３３】
請求項４の発明の開閉装置では、請求項１ないし請求項３の発明の前記効果に加えて、Ｖ字状引付け保持用バネ部材のコイル部をキャッチアームに設けたバネ掛け部に係合させる一方、Ｖ字状引付け保持用バネ部材の２本の直線部を固定枠の支持板のバネ受孔に挿通したので、Ｖ字状引付け保持用バネ部材のキャッチアームに対する相対回転動作と固定枠に対する相対変位動作が無理なく円滑になされ、引付け保持用バネ部材の２本の直線部は機器附設体の上下方向位置に応じて相互の開き角度が的確に増減し、これによって機器附設体を固定枠に確実に引付け保持し、照明器具に適用したときには光漏れを防ぐことができ、また塵埃の侵入を的確に防止することもできる。
【図面の簡単な説明】
【図１】  本発明の一実施例に係る開閉装置の概略的な分解斜視図である。
【図２】  図１の開閉装置をより具体的に示した左側面図であり、機器附設体は閉鎖位置に上昇している。
【図３】  図２の開閉装置の左側面図であり、機器附設体は開放位置に下降している。
【図４】  図２の開閉装置の左側面図であり、特定の一組のキャッチアーム以外のキャッチアームは機器附設体との連結を解除され、機器附設体は下向き回転させられている。
【図５】  図４の下向き回転位置において機器附設体が開閉装置から取り外されたときの左側面図である。
【図６】  図２の開閉装置の上昇位置におけるキャッチアームと機器附設体の連結状態を示す拡大図である。
【図７】  図２の開閉装置において機器附設体が下降位置に移動する過程おける拡大図である。
【図８】  図２の開閉装置の下向き回転位置におけるキャッチアームと機器附設体との連結状態を示す拡大図である。
【符号の説明】
１  固定枠
２  キャッチアーム
３  水平軸
４  機器附設体
５  バネ受孔
６  水平ピン
７  Ｖ字状引付け保持用バネ部材
９  支持板
１０  バネ掛け部
１１  受金板
１２  バネ受孔
【図１】
0003759045.tif 000002
【図２】
0003759045.tif 000003
【図３】
0003759045.tif 000004
【図４】
0003759045.tif 000005
【図５】
0003759045.tif 000006
【図６】
0003759045.tif 000007
【図７】
0003759045.tif 000008
【図８】
0003759045.tif 000009